(57)【要約】【課題】  先行技術の欠点を克服し、単純かつコスト効率の良い設計にもかかわらず、困難な状況および／または空間的に制約のある状況でも使いやすさを向上し、最適な封止を実現する感圧テープを提供する。【解決手段】  この発明は、テープ上部側に裏当て１、テープ底部側に裏当て１の接着コーティング２、およびテープ底部側に取外し可能な保護フィルム３を有し、住宅建設での継目、特に角および端縁の継目を閉鎖、封止および接着するための感圧テープに関する。少なくとも１つの第１の折り重ねセクション４はテープの長手方向に走る第１の折り重ね端縁５に沿ってテープの横方向に折り重ねられ、少なくとも接着コーティング２の一部分はテープの１つの長手セクションに沿って保護フィルム３で覆われない。【選択図】        図１
2005060709.tif 000002
【特許請求の範囲】
【請求項１】
テープの上部側の裏当て（１）、テープの底部側の前記裏当て（１）の接着コーティング（２）およびテープの底部側の取外し可能な保護フィルム（３）を備え、特に住宅建設での継目、特に角および端縁の継目を閉鎖、封止および接着するための感圧テープであって、
前記テープの少なくとも１つの第１の折り重ねセクション（４）は前記テープの長手方向に走る第１の折り重ね端縁（５）に沿って横方向に折り重ねられ、かつ前記テープの１つの長手セクションに沿って前記接着コーティング（２）の少なくとも一部分は前記保護フィルム（３）で覆われないことを特徴とする、感圧テープ。
【請求項２】
前記接着コーティング（２）は、少なくとも１つの前記第１の折り重ねセクション（４）の領域では前記保護フィルム（３）で覆われないことを特徴とする、請求項１に記載の感圧テープ。
【請求項３】
前記テープは、前記テープの長手方向に走る第２の折り重ね端縁（７）に沿って横方向に折り重ねられる第２の折り重ねセクション（６）を有することを特徴とする、請求項１または２に記載の感圧テープ。
【請求項４】
前記保護フィルム（３）は、前記テープの長手方向に少なくとも１つのスリット（８）を有することを特徴とする、請求項１から３のいずれかに記載の感圧テープ。
【請求項５】
前記第２の折り重ね端縁（７）は、前記保護フィルム（３）の前記スリット（８）に一致することを特徴とする、請求項３または４に記載の感圧テープ。
【請求項６】
前記第２の折り重ね端縁（７）は、前記保護フィルム（３）の前記スリット（８）に一致しないことを特徴とする、請求項３または４に記載の感圧テープ。
【請求項７】
前記保護フィルム（３）の１つの端縁セクション（９）は、前記第１の折り重ね端縁（５）および／または前記第２の折り重ね端縁（７）を越えて突出することを特徴とする、請求項１から６のいずれかに記載の感圧テープ。
【請求項８】
前記第２の折り重ねセクション（６）の領域の前記接着コーティング（２）は、前記保護フィルム（３）で覆われないことを特徴とする、請求項３から７のいずれかに記載の感圧テープ。
【請求項９】
前記第１の折り重ねセクション（４）および前記第２の折り重ねセクション（６）は、前記テープの互いに対向する端縁セクションであることを特徴とする、請求項３から８のいずれかに記載の感圧テープ。
【請求項１０】
前記第１の折り重ねセクション（４）および前記第２の折り重ねセクション（６）は、互いに隣接して前記テープの横方向に見られることを特徴とする、請求項３から９のいずれかに記載の感圧テープ。
【請求項１１】
前記第１の折り重ねセクション（４）および前記第２の折り重ねセクション（６）は、少なくとも部分的に一方が他方の上にあることを特徴とする、請求項３から１０のいずれかに記載の感圧テープ。
【請求項１２】
テープ底部側は、前記第１の折り重ねセクション（４）および／または前記第２の折り重ねセクション（６）の領域ではテープ底部側の上にあることを特徴とする、請求項１か
ら１１のいずれかに記載の感圧テープ。
【請求項１３】
テープ上部側は、前記第１の折り重ねセクション（４）および／または前記第２の折り重ねセクション（６）の領域ではテープ上部側の上にあることを特徴とする、請求項１から１１のいずれかに記載の感圧テープ。
【請求項１４】
前記裏当て（１）は、紙、プラスチック、織布、不織布、またはこれらの材料の少なくとも２つの組合せのグループから作られる材料を含み、前記接着コーティング（２）は、感圧アクリル酸塩接着剤、ゴム系接着剤、ブチル接着剤、ホットメルト、またはこれらの接着剤の少なくとも２つの組合せのグループからの材料を含むことを特徴とする、請求項１から１３のいずれかに記載の感圧テープ。
【請求項１５】
少なくとも前記裏当て（１）は、前記テープの長手方向に対して横方向に手で裂くことができるように構成されることを特徴とする、請求項１から１４のいずれかに記載の感圧テープ。
【請求項１６】
前記接着コーティング（２）は、非接着中央片を有することを特徴とする、請求項１から１５のいずれかに記載の感圧テープ。
【請求項１７】
折り重ねられた状態で巻かれて接着テープのロールにされることを特徴とする、請求項１から１６のいずれかに記載の感圧テープ。
【請求項１８】
中間層が少なくとも前記ロールの前記第１の折り重ね端縁（５）の側に設けられることを特徴とする、請求項１７に記載の感圧テープ。
【請求項１９】
折り重ねられない状態で、少なくとも３ｃｍの幅を有し、３ｃｍから５０ｃｍの範囲の幅を有することが好ましく、４ｃｍから３０ｃｍの範囲の幅を有することがより好ましく、４．５ｃｍから２０ｃｍの範囲の幅を有することが最も好ましいことを特徴とする、請求項１から１８のいずれかに記載の感圧テープ。
【請求項２０】
前記テープの少なくとも１つの孔あけ領域は、少なくとも３ミリメートルの平均直径を備えた孔あけアパチャ（１０）を有することを特徴とする、請求項１から１９のいずれかに記載の感圧テープ。
【請求項２１】
前記孔あけアパチャ（１０）は、前記裏当て（１）、前記接着コーティング（２）および前記取外し可能な保護フィルム（３）を通ることを特徴とする、請求項２０に記載の感圧テープ。
【請求項２２】
前記孔あけアパチャ（１０）は、主に円形、多角形または楕円であることを特徴とする、請求項２０または２１に記載の感圧テープ。
【請求項２３】
前記裏当て（１）は、特に左官作業のために良好な接着特性を有する開気孔材料を含むことを特徴とする、請求項１から２２のいずれかに記載の感圧テープ。
【発明の詳細な説明】
【技術分野】
【０００１】
この発明は、特に住宅建設での継目、特に角および端縁の継目を閉鎖、封止および接着するための感圧テープ、いわゆる組立テープであって、テープ上部側に裏当て、テープ底部側に裏当ての接着コーティングおよびテープ底部側に取外し可能な保護フィルムを備えるものに関する。
【背景技術】
【０００２】
一般に、そのような接着テープが住宅建設で使用されるのは、たとえば、ドアまたは窓などの異なる構造要素が壁の開口部に挿入され、構造要素と対応する壁の開口部との間に生じる継目を閉鎖しなければならないときであり、これは、特に、建物の外壁にそのような構造要素を取付けて適切な封止を得ようとするときに行なわれる。
【０００３】
そのような感圧テープの１つの一般的な課題は、そのようなテープをアクセスが難しい領域に正確に貼り、できる限り気密性かつ湿密性となるように継目を閉鎖することによって、簡単な使用方法で良好な封止を実現することである。
【０００４】
同じ出願人からのドイツ公開公報ＤＥ  １０１  ３５  ７９９  Ａ１は、好適な組立テープディスペンサを備えた継目の封止改良のための組立テープを示しており、対応する組立テープは、テープの上部側の裏当てに設けられた接着層をテープの底部側に有し、接着層にはテープの底部側の取外し可能な保護フィルムが設けられている。保護フィルムは長手方向に走るスリットを有し、テープは、保護フィルムの少なくとも或る部分が外部に配置されるように、つまりテープの上部側に配置されるように、このスリットに沿って横方向にそれ自身の上に一度折り重ねられる。さらに、このテープは、孔をあけられた少なくとも１つの横向きの長手セクションを有する。組立テープを受け入れかつ計量分配する特別な組立テープディスペンサが設けられて、輸送中および使用中に保護フィルムのために比較的容易に定位置から外れてしまう巻かれた接着組立テープを安定して扱えるようにする。保護フィルムのスリットに沿った接着組立テープの１つの折り重ねによって、アクセスの難しい領域でも既知の接着組立テープを効率的に貼ることができる。スリットに沿った単純な折り重ねによって信頼できる処理性が得られるが、処理中に、ここに言及される接着組立テープを実際に貼る前に、まず折り重ねの端縁のスリットに沿って保護フィルムを取外さなければならない。さらに、用途によっては、特に空間的に制約のある状況では、さらに使いやすさを最適化することが望ましいことがある。
【発明の開示】
【発明が解決しようとする課題】
【０００５】
この発明の目的は、特に住宅建設での継目、特に角および端縁の継目を閉鎖、封止および接着するための感圧テープであって、先行技術の欠点を克服し、特に単純かつ費用効果の高い設計にもかかわらず、困難な状況および／または空間的に制約のある状況で、最適な封止を実現しかつ同時に使いやすさを向上する感圧テープを提供することである。
【課題を解決するための手段】
【０００６】
この目的は、請求項１による感圧テープによって実現される。
【０００７】
有利な実施例およびさらなる発展例は従属クレームに規定される。
【０００８】
特に住宅建設での継目、特に到達するのが難しい角および端縁の継目を封鎖、封止および接着するためのこの発明の感圧テープは、テープ上部側の裏当て、テープ底部側の裏当
ての接着コーティングおよびテープ底部側の取外し可能な保護フィルムを有する。この発明によると、テープの少なくとも１つの第１の折り重ねセクションが、テープの長手方向に走る第１の折り重ね端縁に沿って横方向に折り重ねられ、テープの１つの長手セクションに沿った接着コーティングの少なくとも一部分は保護フィルムで覆われない。
【０００９】
折り重ねと、保護フィルムによって部分的に覆われない接着コーティングの領域とのこの発明の組合わせによって、テープの処理性がさらに向上する。この発明の折り重ねは、スリットに沿って走る必要はなく、空間的に制約のある状況、特に角および端縁の領域で、テープをきれいにかつ折り重ねなく貼ることができ、可能な限りで最良の封止効果が得られるという利点を提供する。さらに、この保護フィルムは、この発明のテープの長手セクションに沿った保護フィルムに覆われない接着コーティングの一部分に沿って取除く必要がなく、この発明のテープのさらにすばやい処理性につながる。このことは、フィルムの取外しの必要によって生じる折り重ねまたは無駄が貼られたテープ内で生じるのを防ぐ。さらに、そのようなこの発明の設計のテープは、テープを受け入れかつ計量分配するための付加的な組立テープディスペンサを必要としない。なぜなら、この発明のテープは部分的に保護フィルムのない接着コーティングによって、折り重ねられるかまたは巻かれるときに変位しないためである。この発明のテープは特に単純でかつ信頼して使用できる。この発明のテープは、ユーザが特別なパッケージまたは保護手段を用いることなく、使用現場または建設現場に運ぶこともできる。
【００１０】
そのようなこの発明のテープは、たとえば、ドライな建設および／またはコンクリート注入建設で用いることができる。したがって、空間的に非常にアクセスが難しい場所、たとえば、２つの隣接するドライな建設の壁の間の９０°の角、または窓の領域などでは、この発明のテープは最大限の正確さで窓枠に貼ることができ、後続の左官作業プロセス中に、左官ツールの衝撃によってテープが切断され、気密性が失われる危険が回避される。事前の折り重ねによって、特に複数の挿入された窓枠を備えた大きな窓の面が新築の家の外壁に取付けられる際に、ユーザの時間が節約される。さもなければこの折り重ねは手作業によって行なわなければならず、この発明によるとこれは必要ない。この発明の接着テープが木造建設で用いられると、互いに隣接する構造要素の間に生じる継目の幅は細いため、封止テープの個々のセクションを貼るだけで十分であり、この発明の好適なスリットの適切な配置によって、この発明のテープの非常に正確かつすばやい処理性が可能となる。
【００１１】
好ましい一実施例によると、このテープの接着コーティングは、第１の折り重ねセクションの少なくとも１つの領域では保護フィルムで覆われない。つまり、この発明のテープの折り重ねられる領域には保護フィルムがないことが好ましい。したがって、空間的に制約のある状況、たとえば、端縁またはＵ字形のプロファイルでは、この領域を直接ロールから巻き出して、たとえば、保護フィルムを取除くまたは折り重ねるなどの付加的な支援またはステップなしに貼ることができ、信頼性のある封止は、さらに簡略化された処理性につながる。この単純な形の処理によって、先行技術からのテープを使用する場合と比較して、作業時間の最大半分が節約される。
【００１２】
別の好ましい実施例によると、この発明のテープは、テープの長手方向に走る第２の折り重ね端縁に沿って横方向に折り重ねられる第２の折り重ねセクションを有してもよい。第２の折り返しセクションを設けることによって、たとえば、角のまわりの窓枠に隣接する窓枠と周囲の石積みとの間の継目領域での封止の特別な幾何学的形状に柔軟に適合することができ、二重の折り重ねを使用して、保護フィルムのないテープの接着コーティングの部分を窓枠に貼ればよく、第２の折り重ねセクションは角のまわりで石積みへの継目を作ることができる。
【００１３】
保護フィルムがテープの長手方向の少なくとも１つのスリットを有するこの発明の一実施例が好ましい。これを用いれば、既に保護フィルムのないテープの接着コーティングの部分に加え、対応して有利に設計されたこの発明の保護フィルムの別の部分的な領域は、スリットに沿って取外され、この発明のテープの保護フィルムの別の領域はテープの底部側に残すことができる。
【００１４】
この状況で特に有利なのは、第２の折り重ねの端縁が保護フィルムのスリットに一致するこの発明の一実施例である。これは保護フィルムが第２の折り重ねセクションから特に容易に取外されるためである。このことによって、たとえば、石積みへの安定した接着が得られる。
【００１５】
しかしながら、この発明の別の好ましい実施例によると、第２の折り重ねの端縁が保護フィルムのスリットに一致しないことが好ましいこともある。
【００１６】
一致しない折り重ねの端縁およびスリットは、約１ｍｍから２５ｃｍの距離で互いから分離されることが好ましい。
【００１７】
保護フィルムの端縁のセクションが第１の折り重ねの端縁および／または第２の折り重ねの端縁を越えて突出するこの発明の実施例は特に好ましい。このようにして、１つまたは２つのグリップセクションによって、この端縁のセクションを掴むことで、単純に保護フィルムの取外しを容易にすることができる。このことによって、この発明の感圧フィルムの使いやすさがさらに向上する。セクションは約１ｍｍから１ｃｍの幅を有することが好ましい。
【００１８】
個々の用途によって、折り重ねセクションの異なる配置が処理性にとって特に有利となり得る。
【００１９】
したがって、この発明の好ましい一実施例によると、第２の折り重ねセクションの領域の接着コーティングは、第１の折り重ねセクションの領域と同様に、保護フィルムで覆われない。
【００２０】
第１の折り重ねセクションおよび第２の折り重ねセクションは、この発明のテープの互いに対向する端縁のセクションであってもよいが、第１の折り重ねセクションおよび第２の折り重ねセクションは、テープの横方向に見られるように互いに隣接してもよい。この発明の別の好ましい実施例によると、第１の折り重ねセクションおよび第２の折り重ねセクションは、テープが折り重ねられるときに少なくとも部分的に一方が他方の上にある。
【００２１】
この発明のさらに別の好ましい実施例によると、テープ底部側は、第１の折り重ねセクションの領域および／または第２の折り重ねセクションの領域ではテープ底部側にあってもよいが、別の好ましい実施例によると、テープ上部側は、第１の折り重ねセクションの領域および／または第２の折り重ねセクションの領域ではテープ上部側にあってもよい。
【００２２】
第１および／または第２の折り重ねセクションの幅、または折り重ねセクションの幅は、折り重ねられないテープの領域の幅よりも細いことが好ましい。第１および／または第２の折り重ねセクションの幅、または折り重ねセクションの幅は、折り重ねられないテープのセクションの幅と同じ幅であるか、またはほぼ同じ幅であることが好ましい。第１および第２の折り重ねセクションの幅、または折り重ねセクションの幅は、折り重ねられないテープのセクションの幅よりも大きくてもよい。第１および／または第２の折り重ねセクションの幅、または折り重ねセクションの幅は、少なくとも３ｍｍであることが好ましく、少なくとも８ｍｍであることがさらに好ましく、少なくとも１２ｍｍであることがさ
らに一層好ましく、および／または折り重ねられないテープのセクションの幅に等しいことが好ましく、および／または折り重ねられないテープのセクションの幅よりも大きいことがさらに好ましい。
【００２３】
悪条件（寒さ、水分）下でも、この発明の感圧テープを幅広い材料に確実に接着できるようにするため、かつすべての状況においてこの発明の感圧テープの最も信頼のおける封止を実現するために、この発明の好ましい一実施例によると、裏当ては、紙、プラスチック、織布、不織布、またはこれらの材料の少なくとも２つの組合せのグループから作られる材料を含み、接着コーティングは、感圧アクリル酸塩接着剤、ゴム系接着剤（rubber adhesives）、ブチル接着剤、ホットメルト、またはこれらの接着剤の少なくとも２つの組合せのグループからの少なくとも１つの材料を含む。
【００２４】
好ましい一実施例によると、この発明のテープの処理性は、少なくともその裏当てをテープの長手方向に対して横方向に手で裂くことができるように構成される場合に特に向上する。保護フィルムもテープの長手方向に対して横方向に手で裂けることが好ましい。よって、設置中に、ツールを使用せずにテープをセグメントに単純に分けることができる。
【００２５】
好ましい一実施例によると、この発明のテープの接着コーティングが非接着中央片を有する場合、互いに対して直角である２つの構造要素間の継目を接着するのが特に容易になる。これは、これら２つの構造要素が出合う領域でのしわのある不正確な接着が単純に避けられるためである。テープの２つの端縁領域を接着することができるため、封止効果は完全に保持される。
【００２６】
好ましい一実施例によるこの発明の感圧テープは特に使用しやすく、テープは折り重ねられた状態で巻かれて接着テープのロールにされている。このロールは、付加的なディスペンサがなくても、貼り付け中に現場で特に使用しやすい。
【００２７】
この発明のテープの好ましい一実施例によると、少なくともロールの第１の折り重ね端縁の側に中間層が設けられ、これはテープの実際の貼り付け前に第１の折り重ね端縁の領域でくっつくことを防止する。第１の折り重ね端縁の領域では、中間層は露出される接着コーティングを確実に覆うため、テープが貼り付けられる前に汚染粒子が蓄積するのを確実に防ぐ。このように有利に設計されたこの発明のテープの処理性はこのようにしてさらに向上される。
【００２８】
この発明のテープは折り重ねられない状態で少なくとも３ｃｍの幅を有することが好ましく、３ｃｍから５０ｃｍの範囲の幅を有することがさらに好ましく、４ｃｍから３０ｃｍの範囲の幅を有することがさらに好ましく、４．５ｃｍから２０ｃｍの範囲の幅を有することが最も好ましい。これらの寸法によって、幾分広い継目を確実に封止することができ、さらに、この発明のテープが設置されるときに、過度の幅によって使いにくくなり、しわが形成され、漏れが発生するのを防止する。
【００２９】
この発明の別の好ましい実施例によると、平均直径が少なくとも３ｍｍである孔あけアパチャ（perforation apertures）を備えた孔あけ領域（perforation area）を有する。そのような感圧テープでは、テープの少なくとも１つの孔あけ領域に石膏を塗って、テープの封止効果を損なうことなく、良好な固定を実現することができる。少なくとも１つの孔あけ領域はテープの端縁領域上で実現可能であり有利であるが、テープの両方の端縁領域に対応する孔あけ領域を設けることも可能である。特に、対応する端縁領域は、孔あけ領域として実現可能であり、対応する第１および第２の折り重ねセクションに対応してもよい。テープの少なくとも中央片は、孔をあけられないことが好ましいが、最適な封止を確実にするため、用途に応じて、封止される継目の最大の幅よりも広いことが好ましい。
好ましい一実施例によるこの発明のテープの孔をあけられた長手セクションはテープの１つの端縁領域に配置され、中央片は孔をあけられず、封止される継目が適切に設計された感圧テープで覆われるときに、孔あけアパチャが漏れにつながる状況が防止される。
【００３０】
この発明の別の有利な実施例によると、裏当て、接着コーティング、および取外し可能な保護フィルムは、対応する連続した孔あけアパチャで孔をあけられる。そのような孔あけアパチャは、対応するパンチを使用して単純かつ低費用で作られ、好ましい製造費用につながる。一般に、保護フィルムおよび／または裏当ては、孔あけツールが感圧テープの接着層に接触するのを防止する。しかしながら、一般に、接着テープの保護フィルムに覆われない領域に孔あけアパチャを設けることも可能である。
【００３１】
孔あけアパチャは、ほぼ円形、多角形または楕円で実現されることが好ましい。
【００３２】
この発明の別の好ましい実施例によると、裏当ては、左官工事のために良好な接着特性を有する材料、特に開気孔材料を含んでもよい。石膏の背景上でのこのテープの接着効果はさらに向上され、石膏の一部がこのように設計されたテープから外れるのが防止される。
【発明を実施するための最良の形態】
【００３３】
図面中の例示的な実施例を使用して、この発明を以下に詳しく説明する。
【００３４】
図１は、この発明による感圧テープの好ましい一実施例のテープの横方向に沿った概略的な断面図である。図１によるこの発明のテープは、テープ上部側の裏当て１、テープ底部側の裏当て１の接着コーティング２、およびテープ底部側の取外し可能な保護フィルム３を有する。テープの第１の折り重ねセクション４は、テープの長手方向に走る第１の折り重ね端縁５に沿って横方向に一度折り重ねられ、接着コーティング２の或る部分はテープの長手セクションに沿って保護フィルム３で覆われない。したがって、テープは少なくとも折り重ねられた領域で自分自身の上にあり、つまり、自分自身の上に折り重ねられる。図１によると、保護フィルム３で覆われない接着コーティング２の部分は、第１の折り重ねセクション４の領域に対応する。保護フィルム３の第１のスリット１１はテープの長手方向に設けられ、この第１のスリット１１は第１の折り重ね端縁５には一致しないが、図１によると、この発明による折り重ねられたテープの上部側の中央にほぼ存在する。保護フィルム３の端縁のセクション９は第１の折り重ね端縁５を越えて突出し、したがって、保護フィルム３を取除くためのグリップセクションとして作用する。
【００３５】
さらに、図１に示されるこの発明のテープの折り重ねられない領域には、裏当て１、接着コーティング２および取外し可能な保護フィルム３を通ってテープの１つの端縁領域に延在する孔あけアパチャ１０が設けられる。
【００３６】
なお、一般に、図１の表現および他の表現は同じ縮尺ではなく、この発明のテープの実施例の構造および設計を概略的に示すにすぎない。特に、個々の層の厚みは同じ縮尺ではない。一般に、この発明のテープは、折り重ねられないときに少なくとも３ｃｍの幅を有することが好ましい。孔あけアパチャ１０は少なくとも３ｍｍの平均直径を有する。
【００３７】
図１に示される実施例によると、この発明のテープは、第１の折り重ねセクション４が図１に配置されるこの発明のテープの折り重ねられないセクションと同じ幅を有するようにそれ自身の上に折り重ねられる。
【００３８】
図２は、この発明のテープの横方向に沿ったこの発明の第２の実施例の概略的な断面図である。図２では、他の図面と同様に、同じ参照番号はこの発明の同一の要素を示す。図
２に示されるこの発明の実施例は図１に示されるこの発明の実施例にほぼ対応するが、第１の折り重ねセクション４が折り重ねられないセクションと同じ幅を有さないところが異なる。図２に示される実施例では、第１の折り重ねセクション４は、図２に配置されるこの発明のテープの折り返されないセクションまたは領域の幅の約３分の１に等しい幅を有する。
【００３９】
図３は、この発明のテープの横方向に沿ったこの発明の別の実施例の概略的な断面図である。図３では、他の図面と同様に、同じ参照番号はこの発明の同一の要素を示す。
【００４０】
図３では、テープの第１の折り重ねセクション４はテープの長手方向に走る第１の折り重ねの端縁５に沿って横方向に折り重ねられ、第２の折り重ねセクション６はテープの長手方向に走る第２の折り重ねの端縁７に沿って横方向に折り重ねられる実施例を示す。したがって、両方の折り重ねセクションは、保護フィルム３で覆われないテープの長手セクションである。第１の折り重ねセクション４および第２の折り重ねセクション６はともに、それらがともにこの発明による残りの折り重ねられない感圧テープの幅にほぼ対応するように、寸法の面で選択されたテープの端縁セクションである。この発明のテープの端縁領域として、第１の折り重ねセクションおよび第２の折り重ねセクションはともに、折り重ねられない状態でテープの合計の幅の本質的に４分の１である幅を有する。テープの保護フィルム３は保護フィルム３の２つの端縁セクション９を有し、これらは、第１の折り重ね端縁５および第２の折り重ね端縁７をそれぞれ越えて突出する。したがって、グリップセクションが形成され、保護フィルム３を取除くことができる。第１の折り重ね端縁５とも第２の折り重ね端縁７とも一致しない第１のスリット１１が設けられる。第１のスリット１１は折り重ねられた状態でテープのほぼ中央に配置されるが、一般に、具体的な製品の設計に応じて好適にどの位置にも配置することができる。
【００４１】
図４は、この発明のテープの第４の実施例の断面を概略的に示す。図４による実施例は図３による実施例にほぼ対応する。違いは、図４では保護フィルム３が第２の折り重ねセクション６および接着コーティング２の領域も覆うことである。さらに、第２の折り重ねセクション６の領域では、テープは、図１に関して述べた孔あけアパチャ１０を有する。さらに、保護フィルム３の第２のスリット８が設けられ、これはテープの長手方向に走り、かつ図４に示される実施例によると第２の折り重ね端縁７に一致する。したがって、保護フィルム３は第２の折り重ねセクション６の領域のスリット８に沿って取除くことができる。図４に示されるテープの他の要素は、他の図面で既に述べた要素に対応する。
【００４２】
図５は、この発明のテープの横方向に沿って概略的な断面図でこの発明の第５の実施例を示す。図５では、他の図面と同様に、同じ参照番号はこの発明の同一の要素を示す。図５に示されるこの発明の実施例は図４に示されるこの発明の実施例にほぼ対応するが、第１の折り重ねセクション４および第２の折り重ねセクション６が同じ幅を有さず、これは折り重ねられない状態で、テープの合計の幅の４分の１に本質的に対応する。図５に示される実施例では、第２の折り重ねセクション６の幅に対して、第１の折り重ねセクション４は幅が細く、これは第２の折り重ねセクション６の幅のほぼ２分の１であることが好ましい。図５に示されるテープの他の要素は、図４で既に述べた要素に対応する。
【００４３】
図６は、テープの横方向の概略的な断面図でこの発明のテープの別の好ましい実施例を示す。
【００４４】
図６はこの発明のテープの実施例を示し、第１の折り重ねセクション４および第２の折り重ねセクション６がともに設けられる。しかしながら、図３、図４および図５に示されるこの発明の実施例とは異なり、第１の折り重ねセクション４および第２の折り重ねセクション６は、テープの対向する端部のセクションではなく、第１の折り重ねセクション４
および第２の折り重ねセクション６は互いに当接して、テープの横方向に見られる。さらに、第２の折り重ねセクション６は、それらの一方が他方の上にあるように第１の折り重ねセクション４の上に折り重ねられる。図６によると、第１の折り重ねセクション４および第２の折り重ねセクション６はともに接着コーティング２を覆う保護フィルムを有さない。この発明の図示される他の実施例のように、この発明のテープの保護フィルム３は、第１の折り重ねの端縁５に一致せずかつ第２の折り重ねの端縁７にも一致しないスリット１１を有する。
【図面の簡単な説明】
【００４５】
【図１】この発明のテープの第１の実施例のテープの横方向での断面図である。
【図２】この発明のテープの好ましい実施例のテープの横方向での第２の断面図である。
【図３】この発明のテープの好ましい実施例のテープの横方向での第３の断面図である。
【図４】この発明のテープの好ましい実施例のテープの横方向での第４の断面図である。
【図５】この発明のテープの好ましい実施例のテープの横方向での第５の断面図である。
【図６】この発明のテープの好ましい実施例のテープの横方向での第６の断面図である。
【符号の説明】
【００４６】
１  裏当て、２  接着コーティング、３  保護フィルム、４  第１の折り重ねセクション、６  第２の折り重ねセクション。
【図１】
2005060709.tif 000003
【図２】
2005060709.tif 000004
【図３】
2005060709.tif 000005
【図４】
2005060709.tif 000006
【図５】
2005060709.tif 000007
【図６】
2005060709.tif 000008